(57)【要約】      （修正有）【課題】溢水影響評価の工数削減と、品質向上を図る装置、方法およびそのための記録媒体を提供する。【解決手段】溢水影響評価装置は、溢水経路で互いに接続された２個以上の区画に区分されて当該２個以上の区画のうちの少なくとも一つの区画に溢水源を備えた建造物の各区画内の溢水状況を計算する。溢水影響評価装置は、区画それぞれの大きさを含む区画情報と、溢水経路での水の流れの計算に必要な情報を含む経路情報と、溢水源の位置および溢水量を含む溢水源情報と、を受け入れる入力部２３と、入力された区画情報と経路情報と溢水源情報とを記憶する記憶部２２と、区画情報と経路情報と溢水源情報とに基いて、区画それぞれの没水水位を計算する演算部３１と、演算部３１で計算された区画それぞれの没水水位を出力する出力部２４と、を有する。【選択図】図１
2019032572.tif 000002
【特許請求の範囲】
【請求項１】
溢水経路で互いに接続された２個以上の区画に区分されて当該２個以上の区画のうちの少なくとも一つの区画に溢水源を備えた建造物の前記各区画内の溢水状況を計算する溢水影響評価装置であって、
前記区画それぞれの大きさを含む区画情報と、前記溢水経路での水の流れの計算に必要な情報を含む経路情報と、前記溢水源の位置および溢水量を含む溢水源情報と、を受け入れる入力部と、
前記入力部で入力された前記区画情報と前記経路情報と前記溢水源情報とを記憶する記憶部と、
前記記憶部に記憶された前記区画情報と前記経路情報と前記溢水源情報とに基いて、前記区画それぞれの没水水位を計算する演算部と、
前記演算部で計算された前記区画それぞれの没水水位を出力する出力部と、
を有することを特徴とする溢水影響評価装置。
【請求項２】
前記溢水経路が２個以上であって、前記区分が３個以上であること、を特徴とする請求項１に記載の溢水影響評価装置。
【請求項３】
前記溢水流路のうちの少なくとも一つの溢水流路が、高さ位置が互いに異なる２個の前記区画を互いに接続するものであることを特徴とする請求項１または請求項２に記載の溢水影響評価装置。
【請求項４】
前記出力部は、前記区画および前記溢水経路の位置関係を表示する溢水経路図を表示したうえで、前記演算部で計算された前記区画それぞれの没水水位を前記溢水経路図上に重ねて表示すること、
を特徴とする請求項１ないし請求項３のいずれか一項に記載の溢水影響評価装置。
【請求項５】
前記溢水経路図で、前記各区画が没水している状況にあるか否かが識別可能に表示されるように構成されていることを特徴とする請求項４に記載の溢水影響評価装置。
【請求項６】
前記溢水経路図は、少なくとも各区画を識別する文字および当該区画の没水水位を表す文字と、前記区画ごとに前記文字を囲む外枠の表示を含み、
前記文字、前記外枠および前記外枠で囲まれた背景領域のうちの少なくとも一部の色を変化させることによって、前記各区画が没水しているか否かが識別可能に表示されるように構成されていることを特徴とする請求項５に記載の溢水影響評価装置。
【請求項７】
前記区画情報は、当該区画内に配置された設備の情報を含み、
前記演算部は、前記区画の没水水位と当該区画内に配置された前記設備の情報に基いて、当該没水による当該設備の機能の喪失を判断し、
前記出力部は、前記演算部が前記設備の機能の喪失を判断したときに、当該設備の機能の喪失を表示すること、
を特徴とする請求項１ないし請求項６のいずれか一項に記載の溢水影響評価装置。
【請求項８】
溢水経路で互いに接続された２個以上の区画に区分されて当該２個以上の区画のうちの少なくとも一つの区画に溢水源を備えた建造物の前記各区画内の溢水状況を、コンピュータが計算する溢水影響評価方法であって、
前記コンピュータは、入力部と記憶部と演算部と出力部を備え、
当該記溢水影響評価方法は、
前記入力部が、前記区画それぞれの大きさを含む区画情報の入力と、前記溢水経路での水の流れの計算に必要な情報を含む経路情報の入力と、前記溢水源の位置および溢水量を含む溢水源情報の入力と、を受け入れる入力ステップと、
前記記憶部が、前記入力ステップで受け入れた前記区画情報と前記経路情報と前記溢水源情報とを記憶する記憶ステップと、
前記演算部が、前記記憶部に記憶された前記区画情報と前記経路情報と前記溢水源情報とに基いて、前記区画それぞれの没水水位を計算する演算ステップと、
前記出力部が、前記演算ステップで計算された前記区画それぞれの没水水位を出力する出力ステップと、
を有することを特徴とする溢水影響評価方法。
【請求項９】
溢水経路で互いに接続された２個以上の区画に区分されて当該２個以上の区画のうちの少なくとも一つの区画に溢水源を備えた建造物の前記各区画内の溢水状況を、コンピュータに計算させる溢水影響評価プログラムを記録したコンピュータ読み取り可能な記録媒体であって、
コンピュータに、
前記区画それぞれの大きさを含む区画情報の入力と、前記溢水経路での水の流れの計算に必要な情報を含む経路情報の入力と、前記溢水源の位置および溢水量を含む溢水源情報の入力と、を受け入れる入力ステップと、
前記入力ステップで受け入れた前記区画情報と前記経路情報と前記溢水源情報とを記憶する記憶ステップと、
前記記憶ステップで記憶された前記区画情報と前記経路情報と前記溢水源情報とに基いて、前記区画それぞれの没水水位を計算する演算ステップと、
前記出力部が、前記演算ステップで計算された前記区画それぞれの没水水位を出力する出力ステップと、
を実行させるためのプログラムを記録したコンピュータ読み取り可能な記録媒体。
【発明の詳細な説明】
【技術分野】
【０００１】
本発明の実施形態は、建造物内で溢水があった場合に、当該建造物内で溢水が伝搬する状況を計算する溢水影響評価のための装置、方法およびそのためのプログラムを記録したコンピュータ読み取り可能な記録媒体に関する。
【背景技術】
【０００２】
たとえば原子力発電プラントの原子炉建屋内において、何らかの原因によって配管破断や水漏れなどが起こった場合に、内部溢水が考えられる。この内部溢水が原子炉建屋内を順次伝播すると、原子炉建屋内に配置された設備（機器）が水没し、それによって、電源設備や種々の電気設備等の機能が損なわれることが考えられる。
【０００３】
そのため、内部溢水の影響を解析的に評価することが行われている。内部溢水影響評価においては、溢水源や溢水量の設定、防護対象設備の設定、防護対象設備が設置されている溢水防護区画の設定、溢水経路の設定を行い、これに基いて、原子炉建屋内の各区画の没水水位の算定、没水水位により防護対象設備の水没判定、設備の水没判定による安全機能喪失有無の判定を実施することが考えられる。
【先行技術文献】
【特許文献】
【０００４】
【特許文献１】特開２００６−３０１４７５号公報
【発明の概要】
【発明が解決しようとする課題】
【０００５】
上述した溢水影響評価においては、水が漏洩して建造物の区画に溢水が拡大していく状況を把握するのが困難であった。
【０００６】
本発明の実施形態は、上述した課題を解決するためになされたものであり、水が漏洩して建造物の区画に溢水が拡大していく状況を容易に把握できるようにすることを目的とする。
【課題を解決するための手段】
【０００７】
本発明の実施形態に係る溢水影響評価装置は、溢水経路で互いに接続された２個以上の区画に区分されて当該２個以上の区画のうちの少なくとも一つの区画に溢水源を備えた建造物の前記各区画内の溢水状況を計算する溢水影響評価装置であって、前記区画それぞれの大きさを含む区画情報と、前記溢水経路での水の流れの計算に必要な情報を含む経路情報と、前記溢水源の位置および溢水量を含む溢水源情報と、を受け入れる入力部と、前記入力部で入力された前記区画情報と前記経路情報と前記溢水源情報とを記憶する記憶部と、前記記憶部に記憶された前記区画情報と前記経路情報と前記溢水源情報とに基いて、前記区画それぞれの没水水位を計算する演算部と、前記演算部で計算された前記区画それぞれの没水水位を出力する出力部と、を有することを特徴とする。
【０００８】
本発明の実施形態に係る溢水影響評価方法は、溢水経路で互いに接続された２個以上の区画に区分されて当該２個以上の区画のうちの少なくとも一つの区画に溢水源を備えた建造物の前記各区画内の溢水状況を、コンピュータが計算する溢水影響評価方法であって、前記コンピュータは、入力部と記憶部と演算部と出力部を備え、当該記溢水影響評価方法は、前記入力部が、前記区画それぞれの大きさを含む区画情報の入力と、前記溢水経路での水の流れの計算に必要な情報を含む経路情報の入力と、前記溢水源の位置および溢水量を含む溢水源情報の入力と、を受け入れる入力ステップと、前記記憶部が、前記入力ステップで受け入れた前記区画情報と前記経路情報と前記溢水源情報とを記憶する記憶ステップと、前記演算部が、前記記憶部に記憶された前記区画情報と前記経路情報と前記溢水源情報とに基いて、前記区画それぞれの没水水位を計算する演算ステップと、前記出力部が、前記演算ステップで計算された前記区画それぞれの没水水位を出力する出力ステップと、を有することを特徴とする。
【０００９】
本発明の実施形態に係るコンピュータ読み取り可能な記録媒体は、溢水経路で互いに接続された２個以上の区画に区分されて当該２個以上の区画のうちの少なくとも一つの区画に溢水源を備えた建造物の前記各区画内の溢水状況を、コンピュータに計算させる溢水影響評価プログラムを記録したコンピュータ読み取り可能な記録媒体であって、コンピュータに、前記区画それぞれの大きさを含む区画情報の入力と、前記溢水経路での水の流れの計算に必要な情報を含む経路情報の入力と、前記溢水源の位置および溢水量を含む溢水源情報の入力と、を受け入れる入力ステップと、前記入力ステップで受け入れた前記区画情報と前記経路情報と前記溢水源情報とを記憶する記憶ステップと、前記記憶ステップで記憶された前記区画情報と前記経路情報と前記溢水源情報とに基いて、前記区画それぞれの没水水位を計算する演算ステップと、前記出力部が、前記演算ステップで計算された前記区画それぞれの没水水位を出力する出力ステップと、を実行させるためのプログラムを記録したコンピュータ読み取り可能な記録媒体である。
【発明の効果】
【００１０】
本発明の実施形態によれば、水が漏洩して建造物の区画に溢水が拡大していく状況を容易に把握できる。
【図面の簡単な説明】
【００１１】
【図１】本発明に係る溢水影響評価装置の一実施形態の構成を示すブロック図である。
【図２】本発明に係る溢水影響評価装置の一実施形態における複数の区画およびそれらを互いに接続する溢水経路の関係を表示する溢水経路図の例を示す図である。
【図３】図２の溢水経路図における一つの区画の表示形式の例を示す図である。
【図４】本発明に係る溢水影響評価装置の一実施形態における処理の流れの例を示す流れ図である。
【図５】本発明に係る溢水影響評価装置の一実施形態におけるデータベース入力画面の例を示す図である。
【図６】本発明に係る溢水影響評価装置の一実施形態における溢水経路図作画ＣＡＤシステム入力画面の例を示す図である。
【発明を実施するための形態】
【００１２】
以下、図面を参照しながら、本発明の一実施形態に係る溢水影響評価装置およびその処理の流れについて説明する。
【００１３】
この実施形態は、たとえば原子力発電プラントにおいて、原子炉建屋内の配管などから水が漏洩して原子炉建屋内の各部に水（溢水）が拡大していく状況を、コンピュータを用いて、シミュレーション解析によって求めるものである。
【００１４】
図１は、本発明に係る溢水影響評価装置の一実施形態の構成を示すブロック図である。図２は、本発明に係る溢水影響評価装置の一実施形態における複数の区画およびそれらを互いに接続する溢水経路の関係を表示する溢水経路図の例を示す図である。また、図３は、図２の溢水経路図における一つの区画の表示形式の例を示す図である。
【００１５】
この実施形態では、たとえば原子炉建屋を、図２に示すように、２個以上の区画１１に分割して、各区画１１同士が溢水経路１２によって連絡しているようにモデル化する。図２の例では、原子炉建屋の１階部分５１を４個の区画１１に分割し、２階部分５２を３個の区画１１に分割し、３階部分５３を２個の区画１１に分割する。区画１１には、建物内の部屋や通路などが含まれる。
【００１６】
図３に示すように、各区画１１について、区画番号、区画名称、床面積、床レベル、溢水量、許容没水水位、が定義される。その区画内に溢水源がある場合は、解析条件として、溢水量が入力される。さらに、その区画内に、溢水によって機能喪失が起こりうる防護対象設備（たとえば、電気設備等）がある防護対象区画については、機能喪失に至る水位として、許容没水水位が定義される。
【００１７】
さらに、図３に示すように、各区画１１について、溢水演算の結果として、区画１１内の滞留水量および水位（没水水位）が計算結果として求められ、溢水経路図に表示される。防護対象設備がある防護対象区画については、その区画１１内の水位が許容没水水位を超えたか否かにより機能喪失の有無を判断して、判断結果が表示される。
【００１８】
区画１１内の水平断面積が高さによって変化する形状である場合は、「床面積」が高さによって変化するように定義することにより、区画内の滞留水量から水位を求めることができる。
【００１９】
溢水経路１２は、区画１１同士を連絡するもので、区画１１の溢水の流れの条件を定義する。溢水経路１２として、たとえば、ハッチ、貫通孔、建屋内排水系配管、カーブ、扉、階段室、エレベータ等の情報を持たせることができる。さらに、止水対策によって溢水経路の一部を閉鎖したり流動の抑制を図ることができ、それに合わせて溢水経路１２の条件を追加したり変更したりすることができる。
【００２０】
図１に示すように、この溢水影響評価装置は、ＣＰＵ（ｃｅｎｔｒａｌ  ｐｒｏｃｅｓｓｉｎｇ  ｕｎｉｔ）２１と、記憶部２２と、入力部２３と、出力部２４とを備えていて、通常のコンピュータで実現できる。ＣＰＵ２１は、制御部３０と、演算部３１とを備えている。制御部３０は、入力制御部３２と、出力制御部３３と、作画ツール制御部３４と、溢水演算制御部３５とを備えている。演算部３１は、溢水経路図作画部３６と、溢水演算部３７とを備えている。
【００２１】
入力制御部３２は入力部２３を制御し、出力制御部３３は出力部２４を制御する。作画ツール制御部３４は溢水経路図作画部３６を制御し、溢水演算制御部３５は溢水演算部３７を制御する。
【００２２】
記憶部２２は、後述するデータベース４０のほか、溢水経路図作画部３６や溢水演算部３７を実行するためのプログラム４１を記憶する。また、記憶部２２は、演算部３１が演算した結果を短期的または長期的に記憶する。
【００２３】
入力部２３は、たとえば、表示装置を備え、表示装置に表示された入力用の画面上の所定位置を作業員がマウスなどのポインタによってクリックすること等により入力できる。入力用の表示装置としてはタッチパネルを用いてもよい。入力部２３は、キーボードを含んでもよい。また、入力部２３は、外部のコンピュータ等で作成されたデータを直接機械的に読み込む機構や、データ通信によって遠隔から入力可能な機構を含んでいてもよい。
【００２４】
出力部２４は、たとえば、液晶表示装置等の表示装置やプリンタなどである。また、出力部２４は、データを外部のコンピュータに直接機械的に読み込ませる機構やデータ通信によって遠隔に出力可能な機構を含んでいてもよい。
【００２５】
図４は、本発明に係る溢水影響評価装置の一実施形態における処理の流れの例を示す流れ図である。以下、図４に沿って、処理の流れを説明する。
【００２６】
まず、入力部２３は、設備情報、建物情報、溢水源情報等の入力を受ける。これらの入力データは、記憶部２２にデータベース４０として記憶される（ステップＳ０１）。設備情報とは、溢水から防護すべき設備の名称、設備番号、位置、属する系統の機能等の情報である。建物情報には、建物の形状、構造、仕様等の情報が含まれる。溢水源情報には、配管配置、漏洩量等の情報が含まれる。入力データには、前述の図３に示す各区画１１についての区画番号、区画名称、床面積、床レベル、溢水量、許容没水水位のほか、区画１１同士を連絡する溢水経路１２の情報が含まれる。
【００２７】
つぎに、溢水経路図作画部３６は、記憶部２２のデータベース４０に記憶された設備情報、建物情報、溢水源情報等のデータに基いて、図２および図３に示す溢水経路図を作成するうえで作業者の支援を行う（ステップＳ０２）。
【００２８】
つぎに、溢水演算部３７が、記憶部２２に記憶されたデータに基いて、溢水計算を行う（ステップＳ０３）。すなわち、各溢水経路１２の水の流れを計算し、各区画１１内の滞留水量や水位を計算する。溢水伝搬範囲は、溢水経路１２で接続されている区画１１の位置関係や、止水対策の有無等で判断される。各区画１１内の滞留水量は、当該区画１１内の溢水源で発生する溢水量と、他の区画１１からの流入量と他の区画１１への流出量とに基いて計算される。また、各区画１１内の没水水位は滞留水量を当該区画１１の床面積で除算し、カーブ高さとの比較や流下経路の有無により場合分けすることで算出する。
【００２９】
つぎに、ステップＳ０３で得られた溢水状態を、出力部２４が、溢水経路図に表示する（ステップＳ０４）。ここで、区画１１内の没水水位が機能喪失水位を超えた場合、「機能喪失有無」の欄に「あり」と表示する。さらに、この機能喪失の重要度に応じて、「機能喪失有無」と「あり」の表示の色を変えたり点滅表示したり、警報音を発したりすることにより作業者の注意を喚起するようにしてもよい。
【００３０】
また、画面表示される溢水経路図において、区画１１内が没水している状態と、没水していない状態とが一目瞭然で識別できるように、区画１１の枠もしくはその枠内の背景の色、または枠内の文字の色を変化させるようにしてもよい。枠の色、背景の色および文字の色の組合せを変化させてもよい。このようにすることにより、溢水経路図を一目見ただけで溢水の進展状況を容易にかつ即時に判断することができる。
【００３１】
さらに、区画１１内が完全に没水している状態と、区画１１内の一部が没水している状態と、区画１１内の没水が全くない状態との３種類の状態を識別できるように表示させてもよい。
【００３２】
ステップＳ０３とステップＳ０４は、溢水計算完了まで（ステップＳ０５でＹｅｓになるまで）繰り返される。
【００３３】
出力部２４での出力としては、溢水経路図のみならず、防護対象設備リスト、防護区画リスト、安全機能整理表等が含まれていてもよい。
【００３４】
入力部２３は、入力画面を表示して、作業者に入力を促す入力画面表示部（図示せず）を備える。図５は、溢水影響評価装置の一実施形態におけるデータベース入力画面の例を示す図である。また、図６は、溢水影響評価装置の一実施形態における溢水経路図作画ＣＡＤシステム入力画面の例を示す図である。
【００３５】
この溢水影響評価装置で制御部３０を起動すると、入力画面としてメニュー画面が表示される。メニュー画面で作業者が「データベース」を選択すると、図５のデータベース入力画面６１が表示される。
【００３６】
データベース入力画面６１で、たとえば「設備リスト入力」を選択すると、作業者（関係者）が設備の位置や機能に関する情報の入力を行うことができる。
【００３７】
設備リストの合本にて、複数の関係者が入力した設備情報を、データベース管理者がマスターデータへの合本を行うことができる。
【００３８】
データベース入力画面６１で、「データ取込」を選択すると、溢水源に関する情報、建屋に関する情報、溢水計算結果等のファイルデータを取り込むことができる。
【００３９】
以上の入力の後に、「帳票出力」を選択することにより、指定された帳票フォーマットに評価結果等のデータを出力することができる。
【００４０】
メニュー画面で、作業者が「溢水経路図作画ＣＡＤシステム入力画面」を選択すると、図６に示す溢水経路図作画ＣＡＤシステム入力画面６２が表示される。その後、たとえば「ＣＡＤ起動」を選択すると、ＣＡＤアプリケーションが起動し、溢水経路図の作画ウィンドウと、作画を支援するツールパレットが表示され、溢水経路図を作画することができる。
【００４１】
溢水経路図の区画番号を入力した後で、「区画特性インポート」を選択すると、区画番号に対応した区画名称、床面積、許容没水水位を入力することができる。
【００４２】
その後、「作図チェック」を選択すると、溢水経路図の作画ルールに則していない箇所をエラー表示することができる。
【００４３】
「溢水評価自動図面生成」を選択すると、溢水経路図に溢水源条件データを入力し、溢水演算部３７が、伝搬範囲の評価と各区画の没水水位の計算を行い、出力部２４が、結果を溢水経路図に追記する。
【００４４】
「溢水評価リスト」を選択すると、出力部２４から没水水位データを出力することができる。
【００４５】
以上説明した溢水影響評価装置による計算を所定の条件で行った後に、たとえば、部分的な止水対策を施すなどにより条件を変更して、再度計算し、これらの計算結果を比較することによって、止水対策などの有効性を確認することもできる。
【００４６】
上記溢水影響評価装置の入力部２３での入力において、たとえば、過去の入力データを記憶部２２に記憶しておき、過去の入力データをデフォルト値として入力画面に表示することもできる。このようにすることにより、入力作業の省力化が可能である。また、デフォルト値としては、あらかじめ標準入力データとしてデータベース４０に組み込んでおいてもよい。
【００４７】
図１に示す溢水影響評価装置は、コンピュータ（ＰＣ）のハードディスク装置などにプログラムをインストールして、所定のオペレーションシステム（ＯＳ）の環境下で実行される。所定のＯＳとは、たとえば、ＷＩＮＤＯＷＳ（登録商標）、ＵＮＩＸ（登録商標）、ＬＩＮＵＸ（登録商標）等である。
【００４８】
データベース４０はインターフェースとしてのＥＸＣＥＬ（商品名）等の表計算アプリケーションと、データベースとしてのＯＲＡＣＬＥ（商品名）等のデータベースアプリケーションにより実行される。
【００４９】
演算部３１は、溢水経路図の作画と溢水計算のため、ＣＡＤシステムと、表計算アプリケーションにより実行される。
【００５０】
内部溢水評価においては、上記設備、建物の情報を基に、防護対象設備が設置されている部屋を防護対象区画として整理し、防護対象区画毎に区画内の設備、床面積、溢水計算により得られる没水水位等の情報を格納する。
【００５１】
本実施形態によれば、各工程での多くの関係者との大量のデータのやり取りや、転記作業が不要である。また、溢水経路の設定と各区画の没水計算を容易に行うことができ、作業時間の短縮を図ることができる。さらに、転記ミスによるヒューマンエラーの発生を抑制でき、品質向上を図ることができる。
【００５２】
なお、本発明は上記実施形態のみに限定されるものではない。
【００５３】
上述した実施形態において記載した手法は、コンピュータに実行させることのできるプログラムとして記憶媒体に記憶したり、通信媒体により伝送したりして、各種装置に適用することも可能である。
【００５４】
この場合、記憶媒体に記憶されたソフトウェア（プログラム）をコンピュータが読み込むことにより、各処理が可能になる。
【００５５】
なお、記憶媒体としては、磁気ディスク、フロッピーディスク、ハードディスク、光ディスク（ＣＤ−ＲＯＭ、ＣＤ−Ｒ、ＤＶＤ等）、光磁気ディスク（ＭＯ等）、半導体メモリ等、プログラムを記憶でき、かつコンピュータが読み取り可能な記憶媒体であれば、その記憶形式はいずれの形態であっても良い。
【００５６】
また、記憶媒体からコンピュータにインストールされたプログラムの指示に基づき、コンピュータ上で稼動しているＯＳ（オペレーティングシステム）や、データベース管理ソフト、ネットワークソフト等のＭＷ（ミドルウェア）等が各処理の一部を実行しても良い。
【００５７】
さらに、記憶媒体は、コンピュータと独立した媒体に限らず、ＬＡＮ（ローカルエリアネットワーク）やインターネット等により伝送されたプログラムをダウンロードして記憶または一時記憶した記憶媒体も含まれる。
【００５８】
また、記憶媒体は一つに限らず、複数の媒体から処理が実行されても良い。
【００５９】
なお、コンピュータは、記憶媒体に記憶されたプログラムに基づいて各処理を実行するものであって、パソコン等の一つからなる装置、複数の装置がネットワーク接続されたシステム等のいずれの構成であっても良い。
【００６０】
また、コンピュータとは、パソコンに限らず、情報処理機器に含まれる演算処理装置、マイコン等も含み、プログラムによって機能を実現することが可能な機器、装置を総称している。
【００６１】
以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１１…区画、  １２…溢水経路、  ２１…ＣＰＵ、  ２２…記憶部、  ２３…入力部、  ２４…出力部、  ３０…制御部、  ３１…演算部、  ３２…入力制御部、  ３３…出力制御部、  ３４…作画ツール制御部、  ３５…溢水演算制御部、  ３６…溢水経路図作画部、  ３７…溢水演算部、  ４０…データベース、  ４１…プログラム、  ５１…１階部分、  ５２…２階部分、  ５３…３階部分、６１…データベース入力画面、６２…溢水経路図作画ＣＡＤシステム入力画面
【図１】
2019032572.tif 000003
【図２】
2019032572.tif 000004
【図３】
2019032572.tif 000005
【図４】
2019032572.tif 000006
【図５】
2019032572.tif 000007
【図６】
2019032572.tif 000008